(57)【要約】      （修正有）【課題】太刀魚針の刺し餌が過度の水圧などで、位置ずれしないで、維持できる刺し餌保持装置の提供。【解決手段】刺し餌保持針１５を従来のケン付き胴長太刀魚針８のラバーチューブ１０直近上部のハリス１にとりつけ、この刺し餌保持針１５に刺し餌７上部を刺し吊るしてケン付き胴長太刀魚針８のチョン掛け位置１４には刺し餌７が移動しないようにした。さらにタコベイト４をスカート状に被せて仕掛けを隠し魚は従来に比べ安心して長めの刺し餌７を食べに行くので、高釣果が期待できる刺し餌保持装置。【選択図】図５
2019208492.tif 000002
【特許請求の範囲】
【請求項１】
針先側から来た、ラバーチューブの中を通過した直後の幹糸に接続するハリスを用い、長軸ケン付きカレイ針のケンに二重に通し結束した刺し餌保持針を設け、上記、ハリスの一端をタコベイトの筒内径が細身の刺し餌の身幅と同じかそれよりも少し大きい筒内径を選び、上記、タコベイト頭頂部の中から外に向けハリス通過用の小さな穴をあけ、この穴から上記、ハリスを外部に引き出し上記、長軸ケン付きカレイ針のケン部分を上記、タコベイト頭頂部の内部に入れ込んだ太刀魚仕掛けの幹糸に接続して用いる刺し餌保持装置。
【発明の詳細な説明】
【技術分野】
【０００１】  本発明は、釣りに用いる仕掛けに関する。
【背景技術】
【０００２】  従来のケン付き胴長太刀魚針８の仕掛けの構造は、図６に示すようにケン付き胴長太刀魚針のケン９に幹糸側から来たハリス１を通し、さらに針結びを実施し上記、ケン付き胴長太刀魚針のケン９と針結びをした場所にラバーチューブ１０を装着して幹糸に連結するハリス１を設けておく。さらに釣り人はサバ等を細身に加工して刺し餌７を図７に示すような針本体に縫い刺しにする方法が多い。
【先行技術文献】
【０００３】
【特許文献】
【特許文献】特開２０１６−０５４７０７号
【発明の概要】
【発明が解決しようとする課題】
【０００４】  水中での太刀魚目線で想像すると図６と図７に示すように長めの美味しそうな刺し餌７が観察され、針の構造上、軸がＵ字型状に返り、針先１３がある。海中の太刀魚はこの針先１３と刺し餌７を含めて同時に喰いつくと針先１３が太刀魚の口に刺さり釣り上げられる構図になっている。図７に示すように針本体への縫い刺しの仕掛けは、アタリの発生時の竿先のシャクリ上げや船の移動のためリールによる急速巻き上げが必須となるが、針本体の刺し餌７には過度の水圧がかかり刺し餌７の保持機能が無いから図８に示すように針のチョン掛け位置１４まで簡単に移動して元に戻ることは無い。図９に示すようにこのチョン掛け位置１４は太刀魚にとって釣り上げられる怖い針先１３が近くにあるので餌の食べ残しから推察すると本能的に危険予知をしていると見受けられこの場合、針先１３を口の中へ入れないので釣り上げる事が出来ないが竿先には確実なアタリはある。釣り人はアタリがあって即、合わせを実行しても釣れない現象が多発して悔しい思いをしている。と同時に刺し餌７がこのチョン掛けの位置１４に来ないようにする、換言すれば図７に示すような縫い刺しのままで維持できれば良い釣果が得られるものと思われる。この改良が急務でありそして高釣果が求められるように、その商品の製造方法の提供を目的としている。
【課題を解決するための手段】
【０００５】  上述の目的を達成するために、図４に示すようにケン付き胴長太刀魚針のケン９に幹糸側から来たハリス１を通し、さらに針結びを実施し上記、ケン付き胴長太刀魚針のケン９と針結び場所にラバーチューブ１０を装着してそのラバーチューブ１０の中を通った直後の幹糸に連結するハリス１を用い、図５に示すように本発明である長軸ケン付きカレイ針のケン３に二重に通し結束した刺し餌保持針１５を設け上記、ハリス１の一端を図１０に示すようにタコベイト４の筒内径６が細身の刺し餌７の身幅と同じかそれよりも少し大きい口径を選び、上記、タコベイト頭頂部５の中から外に向けハリス通過用の小さな穴をあけ、この穴から上記、ハリスを外部に引きだし上記、長軸ケン付きカレイ針のケン３を上記、タコベイト頭頂部５の内部に入れ込んだ太刀魚仕掛けを幹糸に接続して用いる。本発明の刺し餌保持装置は従来型仕掛けのラバーチューブ１０の幹糸側に組み合わせて用いると効果が認められる。
【発明の効果】
【０００６】  図２に示すようにタコベイト４を図１に示すように幹糸側に５ｃｍ程引きだし、次に図５に示すように従来型ケン付き胴長太刀魚針８の針先１３に細長い刺し餌７の長さの半分ぐらいを刺して上記、ラバーチューブ１０の下部分１２まで刺し餌７の上部先端に移動する。そしてラバーチューブ上部分１１の上にある本発明の刺し餌保持針１５の針先を上記、細身の刺し餌７の最上部に刺し吊るす。さらに引き出していた上記、タコベイト４を長軸ケン付きカレイ針のケン３を図５に示すようにスカート状に被せて仕掛けを隠す。これで刺し餌７の最上部が刺し餌保持針１５に保持されているので従来のように幹糸の急速巻き上げ時の過度の水圧で図８に示すようなチョン掛け位置１４に移ることが無くなった事が最大の特徴である。この結果、太刀魚は長めの美味しそうな刺し餌を目の当たりにして以前のような針先１３を気にしなくなり一気にかぶりつくので、高釣果が期待できる特徴がある。
【図面の簡単な説明】
【０００７】
【図１】本発明の刺し餌保持針付きのタコベイト未挿入の斜視図である。
【図２】本発明と従来型仕掛けを組み合わせたタコベイト未挿入の斜視図である。
【図３】本発明と従来型仕掛けを組み合わせたタコベイト装着の断面図である。
【図４】本発明と従来型仕掛けを組み合わせて刺し餌を針本体に刺したタコベイト未挿入の断面図である。
【図５】本発明と従来型仕掛けを組み合わせて刺し餌を針本体に刺したタコベイト装着の断面図である。
【図６】従来型仕掛けの断面図である。
【図７】従来型仕掛けに刺し餌を縫い刺しに装着した断面図である。
【図８】従来型仕掛けで刺し餌が水圧でチョン掛け位置に移動した断面図である。
【図９】図８のチョン掛け位置の刺し餌を太刀魚が食べ残す様子の断面図である。
【図１０】タコベイト内部の詳細。
【図１１】タコベイト付きでラバーチューブ無しの場合の断面図である。
【発明を実施するための形態】
【０００８】  以下、本発明の実施の形態を図に基づいて説明する。
【０００９】  図１は刺し餌７を刺し吊るすための重要な刺し餌保持針１５を記載したものである。
【００１０】  図２は従来型仕掛けと本発明の刺し餌保持針付きの装置を組み合わせたものである。
【００１１】  図３は従来型仕掛けと本発明の刺し餌保持装置を組み合わせたタコベイトを装着したものである。
【００１２】  図４は刺し餌７の長さの半分あたりを針先１３に刺して、刺し餌保持針１５に刺し吊るした実施例である。従来、過度の水圧で刺し餌７がチョン掛けの位置１４に移動するのを阻止する特徴を持っている本発明の品である。
【００１３】  図７は従来型仕掛けで、刺し餌７は縫い刺しの実施例である。
【００１４】  図８は従来型仕掛けで刺し餌に過度な水圧がかかりチョン掛けの位置１４に移動する様子を示した。
【００１５】  図９は刺し餌がチョン掛けの位置１４に移動すると太刀魚は針先１３を避けて刺し餌を食べ残す様子を示し、針先１３に喰いつかないのでアタリがあっても釣れない事例となる。
【００１６】  図１０はタコベイトの内部詳細。タコベイトの頭頂部とタコベイトの筒内径を示した。
【００１７】  図１１はタコベイト装着でラバーチューブ無しの場合の実施例であるが長軸ケン付きカレイ針の長さが短くして使用できる特徴がある。
【００１８】  長軸ケン付きカレイ針のケン３とケン付き胴長太刀魚針のケン９をリングで止める方法もある。その場合ラバーチューブを装着できないので、太刀魚の刃によるハリスの切断も考えに入れる必要がある。
【００１９】  タコベイトを使用しないで用いる方法もある。この場合、魚の活性が高い場合は有効であり、そうでない時は誘いを効率良く入れる必要がある。
【産業上の利用可能性】
【００２０】  本発明は多くの人々が仕事上で発生するストレスの発散、解消に利用しているが、船の太刀魚釣りのレジャー産業の分野で利用することができる。
【符号の説明】
【００２１】  １  ハリス
２  長軸ケン付きカレイ針
３  長軸ケン付きカレイ針のケン
４  タコベイト
５  タコベイト頭頂部
６  タコベイトの筒内径
７  刺し餌
８  ケン付き胴長太刀魚針
９  ケン付き胴長太刀魚針のケン
１０  ラバーチューブ
１１  ラバーチューブ上部分
１２  ラバーチューブ下部分
１３  針先
１４  チョン掛け位置
１５  刺し餌保持針
【図１】
2019208492.tif 000003
【図２】
2019208492.tif 000004
【図３】
2019208492.tif 000005
【図４】
2019208492.tif 000006
【図５】
2019208492.tif 000007
【図６】
2019208492.tif 000008
【図７】
2019208492.tif 000009
【図８】
2019208492.tif 000010
【図９】
2019208492.tif 000011
【図１０】
2019208492.tif 000012
【図１１】
2019208492.tif 000013